(57)【要約】【課題】鏡胴がコンバージョンレンズなどに当たることを確実に防止しつつ、コンバージョンレンズやアダプタリングの小型化、軽量化、低コスト化を図る上で有利な撮像装置を提供する。【解決手段】アダプタリング１８がアダプタリング取付部１６に取着されていることが検出手段により検出されると、鏡胴制御手段は、鏡胴１４の前端がアダプタリング１８の前端よりも後方に位置する範囲内に位置するように鏡胴１４を移動させる。鏡胴１４の前端がアダプタリング１８の前端よりも前方に突出しないので、鏡胴１４の先端がアダプタリング１８の前端に取着されたコンバージョンレンズ３０などに当たらない。突出位置Ｐ１に位置した鏡胴１４の前端がワイドコンバージョンレンズ３０のレンズ３００６に当たらないようにワイドコンバージョンレンズ３０やアダプタリング１８の寸法を大きくする必要が無い。【選択図】        図４
2004333778.tif 000002
【特許請求の範囲】
【請求項１】
ケースと、前記ケースに設けられ撮影光学系を収容する鏡胴とを有し、前記鏡胴が前記ケースの前方に最も突出した突出位置と、前記ケースの内方に収容された収容位置との間で出没可能に構成された沈胴式の撮像装置であって、
前記鏡胴を囲むように前記ケースに設けられた環状のアダプタリング取付部と、
前記アダプタリング取付部にアダプタリングが取り付けられたことを検出する検出手段と、
前記検出手段の検出結果に応じて前記鏡胴の突出量を制御する鏡胴制御手段とを備え、
前記鏡胴制御手段による前記鏡胴の突出量の制御は、前記アダプタリング取付部に前記アダプタリングが取り付けられた状態で、前記鏡胴の前端が前記アダプタリングの前端よりも後方に位置する範囲内で行なわれる、
ことを特徴とする撮像装置。
【請求項２】
前記アダプタリング取付部は第１の雌ねじで形成され、前記アダプタリングの後端には前記アダプタリング取付部に取り付けられる後端取付部が形成され、前記アダプタリングの前端にはコンバージョンレンズやフィルタなどの光学部材が取り付けられる光学部材取付部が形成され、前記後端取付部は前記第１の雌ねじに螺合する第１の雄ねじで形成され、前記光学部材取付部はコンバージョンレンズやフィルタなどの光学部材のねじ部に螺合される第２の雌ねじで形成され、前記第１の雌ねじおよび第１の雄ねじは二条ねじで構成され、前記第２の雌ねじは一条ねじで構成されていることを特徴とする請求項１記載の撮像装置。
【請求項３】
前記アダプタリングが前記アダプタリング取付部に取り付けられた状態で、前記アダプタリングの前端が鏡胴の前記突出位置よりも後方箇所に位置するように構成されていることを特徴とする請求項１記載の撮像装置。
【請求項４】
前記撮影光学系はズームレンズで構成され、前記鏡胴は前記撮影光学系のズーム率に応じて鏡胴の突出量が変化するように構成され、前記鏡胴制御手段による前記鏡胴の突出量の制御は、前記アダプタリング取付部に前記アダプタリングが取り付けられた状態で、前記撮影光学系のズーム率が最も広角となる前記鏡胴の突出量で行なわれることを特徴とする請求項１記載の撮像装置。
【請求項５】
前記撮影光学系はズームレンズで構成され、前記アダプタリングは、前記アダプタリングが前記アダプタリング取付部に取り付けられ、かつ、前記撮影光学系のズーム率が最も広角側に設定された状態で該撮影光学系にけられが生じないように構成されていることを特徴とする請求項１記載の撮像装置。
【請求項６】
前記コンバージョンレンズは前記撮影光学系の画角を広角側に変換するワイドコンバージョンレンズであることを特徴とする請求項１記載の撮像装置。
【発明の詳細な説明】
【０００１】
【発明の属する技術分野】
本発明は撮像装置に関するものである。
【０００２】
【従来の技術】
撮影光学系を収容する鏡胴がケースの前方に突出した突出位置と、ケースの内方に収容された収容位置との間で出没可能に構成されたいわゆる沈胴式の撮像装置がある。
このような撮像装置において、撮影光学系の前方にコンバージョンレンズやフィルタなどの光学部材を設ける目的で、鏡胴を囲むようにケースの前面に環状に設けられたねじ部に円筒壁状に形成されたアダプタリングを取付可能に構成し、該アダプタリングの前端に前記光学部材を取着するようにしたものが提供されている（例えば特許文献１）。
また、撮像装置の鏡胴の前端に立体撮影用のアダプタからなる光学部材を着脱可能に設けるとともに、前記鏡筒に光学部材が取着されたときにオンされる検出スイッチを鏡筒の前端に設け、前記検出スイッチの動作に基いてフィルムに識別データを記録する撮像装置が提供されている（例えば特許文献２）。
【０００３】
【特許文献１】
特許第３１７４２０５号公報
【特許文献２】
特開平１０−４８７３７号公報
【０００４】
【発明が解決しようとする課題】
前者の撮像装置においては、その撮影光学系がズームレンズで構成され、鏡筒の突出量がズーム動作に応じて変化するものであり、かつ、前記アダプタリングに光学部材を装着することを想定した場合、前記鏡筒が最も突出した突出位置に位置した状態で鏡筒の前端がアダプタリングに装着された光学部材にぶつからないようにしなくてはならない。
このため、光学部材と鏡筒の前端との距離を確保するために、アダプタリングや光学部材はその光軸方向の寸法を大きく設定する必要があり、また、撮影光学系に対してけられが発生しないようにアダプタリングや光学部材の径方向の寸法も大きく設定しなくてはならない。したがって、これらアダプタリングや光学部材の大型化、重量化、高コスト化を避けることができないという不都合がある。
また、後者の撮像装置においては、鏡筒に光学部材が取着されたことを検出して所定の制御を行なうことは開示されているものの、沈胴式の鏡胴の前端がアダプタリングに取着された光学部材にぶつかることに関しては何ら論及されていない。
本発明は、このような事情に鑑みなされたものであり、その目的とするところは、鏡胴が光学部材などに当たることを確実に防止しつつ、光学部材やアダプタリングの小型化、軽量化、低コスト化を図る上で有利となる撮像装置を提供することにある。
【０００５】
【課題を解決するための手段】
本発明の撮像装置は、前記目的を達成するために、ケースと、前記ケースに設けられ撮影光学系を収容する鏡胴とを有し、前記鏡胴が前記ケースの前方に最も突出した突出位置と、前記ケースの内方に収容された収容位置との間で出没可能に構成された沈胴式の撮像装置であって、前記鏡胴を囲むように前記ケースに設けられた環状のアダプタリング取付部と、前記アダプタリング取付部にアダプタリングが取り付けられたことを検出する検出手段と、前記検出手段の検出結果に応じて前記鏡胴の突出量を制御する鏡胴制御手段とを備え、前記鏡胴制御手段による前記鏡胴の突出量の制御は、前記アダプタリング取付部に前記アダプタリングが取り付けられた状態で、前記鏡胴の前端が前記アダプタリングの前端よりも後方に位置する範囲内で行なわれることを特徴とする。
そのため、アダプタリングがアダプタリング取付部に取着されていることが検出手段により検出されると、鏡胴制御手段は、鏡胴の前端がアダプタリングの前端よりも後方に位置する範囲内に位置するように鏡胴を移動させる。したがって、鏡胴の前端がアダプタリングの前端よりも前方に突出しないので、鏡胴の先端がアダプタリングの前端に取着された光学部材などに当たることがない。
【０００６】
【発明の実施の形態】
次に、本発明の実施の形態について図面を参照して説明する。
以下、本発明による撮像装置の第１の実施の形態を図面に基づいて詳細に説明する。
図１は本発明に係るデジタルスチルカメラを斜め前方から見た斜視図、図２はデジタルスチルカメラの側面図、図３はデジタルスチルカメラ、アダプタリング、ワイドコンバージョンレンズの側面図、図４はアダプタリングとワイドコンバージョンレンズの断面図、図５は鏡胴の出没動作を制御する制御系の構成を示すブロック図である。
【０００７】
図１、図２に示すように、撮像装置であるデジタルスチルカメラ１０は、ケース１２、鏡胴１４、アダプタリング取付部１６、アダプタリング１８（図３）、検出手段２０（図５）、鏡胴制御手段２２（図５）などを備えている。
【０００８】
図１に示すように、ケース１２の上面には撮影モードなどを切り換えるダイヤルスイッチ１２０２、撮影操作を行なうためのシャッタースイッチ１２０４、被写体に補助光を照射するストロボ装置１２０６などが設けられている。
図２に示すように、ケース１２の後面には画像データや文字データを表示する液晶などから構成されるディスプレイ１２０８、被写体像を視認するためのファインダー窓１２１０、撮影光学系１５のズーム操作を行なうためのズーム操作スイッチ１２１１、電源スイッチ（不図示）などが設けられている。
図１、図２に示すように、アダプタリング取付部１６は、ケース１２の前面中央に環状に膨出形成され、鏡胴１４はこのアダプタリング取付部１６の内側に配設されている。
本実施の形態では、図２に示すように、鏡胴１４は、第１の鏡胴１４０２と、第１の鏡胴１４０２の内側に相対的に移動可能に組み込まれた第２の鏡胴１４０４とを有した２段式の鏡胴としてから構成され、これら鏡胴１４０２、１４０４に撮影光学系１５が収容され、ケース１２には撮影光学系１５によって導かれた被写体像を撮像して撮像信号を生成する撮像素子（不図示）が組み込まれている。
本実施の形態では、撮影光学系１５はズームレンズで構成され、該ズームレンズを構成するレンズを光軸方向に移動させることによりズーム率、すなわち撮影倍率あるいは焦点距離を変化させることができるように構成されている。
鏡胴１４は、鏡胴駆動機構２４（図５）により出没するいわゆる沈胴式として構成されている。鏡胴１４は、撮影光学系１５のズーム率に応じて突出量が変化するように構成され、撮影光学系１５が最も望遠側に設定され鏡胴１４の突出量が最大である突出位置Ｐ１と、ケース１２の内方に収容された収容位置Ｐ０との間で出没する。また、撮影光学系１５が最も広角側に設定された状態では、鏡胴１４は、突出位置Ｐ１と収容位置Ｐ０の中間の箇所でアダプタリング取付部１６よりも前方の箇所である中間位置Ｐ２に位置するように構成されている。
【０００９】
アダプタリング取付部１６は、図２に示すように、鏡胴１４の外周面と間隔を空けて該外周面を囲む円筒壁部１６０２と、円筒壁部１６０２の内周面に形成された第１の雌ねじ１６０４とにより構成されている。
円筒壁部１６０２の内周面のケース１２寄りの箇所には第１の雌ねじ１６０４よりも径方向内側に突出した環状の段部１６０６が形成されている。
【００１０】
アダプタリング１８は、図３、図４に示すように、鏡胴１４の外径よりも大きな寸法の内径を有する円筒壁状に形成されている。
アダプタリング１８の後端には、アダプタリング取付部１６の第１の雌ねじ１６０４に螺合する第１の雄ねじ１８０２（後端取付部）が形成され、第１の雄ねじ１８０２を第１の雌ねじ１６０４に螺合することでアダプタリング１８の後端がアダプタリング取付部１６に着脱可能に取着される。
アダプタリング１８の前端には、第１の雄ねじ１８０２の外径よりも大きな内径の第２の雌ねじ１８０４が形成されている。この第２の雌ねじ１８０４は、光学部材としてのワイドコンバージョンレンズ３０の雄ねじ３００２に螺合するように形成され、第２の雌ねじ１８０４を雄ねじ３００２に螺合することでアダプタリング１８の前端がコンバージョンレンズ３０に着脱可能に取着される。本実施の形態では第２の雌ねじ１８０４によって光学部材取付部が構成されている。また、本実施の形態では、第１の雌ねじ１６０４および第１の雄ねじ１８０２は二条ねじで構成され、第２の雌ねじ１８０４は一条ねじで構成されている。
アダプタリング１８は、その後端がアダプタリング取付部１６に取り付けられた状態で、アダプタリング１８の前端が鏡胴１６の突出位置Ｐ１よりも後方箇所に位置するように構成されている。
また、本実施の形態では、アダプタリング１８は、その後端がアダプタリング取付部１６に取り付けられた状態で、アダプタリング１８の前端が鏡胴１６の中間位置Ｐ２よりも前方箇所に位置するように構成されている。
また、本実施の形態では、アダプタリング１８は、該アダプタリング１８の後端がアダプタリング取付部１６に取り付けられ、かつ、撮影光学系１５のズーム率が最も広角側に設定された状態で該撮影光学系１５にけられが生じないように構成され、アダプタリング１８の前端の第２の雌ねじ１８０４の内径も前記けられが生じない値に設定されている。
【００１１】
ワイドコンバージョンレンズ３０は、図４に示すように、アダプタリング１８を介してアダプタリング取付部１６に取着されることで、撮影光学系１５の焦点距離を短縮しズーム率（画角）を広角側に変換する１つ以上のレンズ３００６からなる光学系を有するものであり、図４において符号３００４は飾りリングを示す。
【００１２】
検出手段２０は、アダプタリング取付部１６にアダプタリング１８が取り付けられたこと検出するもので、図４に示すように、アダプタリング取付部材１６の段部１６０６に配設された可動ピン２００２と、この可動ピン２００２の動きを検出する検出スイッチ２００４とを有している。
可動ピン２００は、図４に示すように、段部１６０６に出没可能に設けられており、その前端が段部１６０６から前方に突出した状態となるように常時付勢されている。
検出スイッチ２００４は、図４に示すように、アダプタリング取付部１６にアダプタリング１８が取着されることにより、該アダプタリング１８の後端部分１８０６によって可動ピン２００２が押圧され、可動ピン２００２突出した状態から没入された状態に動かされると、この動きを検出しオン・オフ信号からなる検出信号を鏡胴制御手段２２に出力するように構成されている。
【００１３】
図５に示すように、鏡胴制御手段２２は、ズーム操作スイッチ１２１１から供給されるズーム操作信号と、検出スイッチ２００４から供給される検出信号とに基づいて鏡胴駆動機構２４を制御することにより、鏡胴１４の突出量を制御するように構成されている。
また、鏡胴制御手段２２は、前記電源スイッチがオフされたときに、鏡胴１４を収容位置Ｐ０に位置させ、電源スイッチがオンされたときに、鏡胴１４を中間位置Ｐ２に位置させるように鏡胴１４の突出量の制御を行なう。
鏡胴制御手段２２は、例えば、制御プログラムを格納するＲＯＭと、ワーキングエリアを提供するＲＡＭと、前記電源スイッチ、ズーム操作スイッチ１２１１、検出スイッチ２００４や鏡胴駆動機構２４との信号の授受を司るインターフェースと、前記ＲＯＭの制御プログラムを実行することにより制御動作を実行するＣＰＵとを含むいわゆるマイクロコンピュータで構成されている。
【００１４】
次に、デジタルスチルカメラ１０を用いて撮影する際の動作について説明する。
まず、デジタルスチルカメラ１０を単体で使用する場合、すなわちアダプタリング１８およびワイドコンバージョンレンズ３０をケース１２に取着しないで使用する場合について説明する。
前記電源スイッチがオフ状態にある場合、鏡胴１４は収容位置Ｐ０に位置してケース１２内方に収容されているため、鏡胴１４がケース１２の外部の物などにぶつかって無理な力を受けることが防止されている。
また、この際、可動ピン２００２は前端が段部１６０６から突出した状態に付勢されている。
前記電源スイッチがオンされると、検出スイッチ２００４からは、アダプタリング１８が取着されていないないことを示す検出信号が鏡胴制御手段２２に供給される。これにより、鏡胴制御手段２２は、鏡胴駆動機構２４を制御して鏡胴１４を撮影可能な位置である中間位置Ｐ２に移動させる。ユーザーはこの状態で、ファインダ窓１２１０あるいはディスプレイ１２０８を視認しつつ、所望のズーム率が得られるように、ズーム操作スイッチ１２１１を操作する。これにより、鏡胴制御手段２２は、ズーム操作スイッチ１２１１の操作信号の応じて鏡胴駆動機構２４を制御し鏡胴１４を中間位置Ｐ２と突出位置Ｐ１との間で移動させる。
そして、ユーザーがシャッタスイッチ１２０４を押下することによって撮影がなされる。
【００１５】
次に、デジタルスチルカメラ１０にアダプタリング１８およびワイドコンバージョンレンズ３０を取り付けて使用する場合について説明する。
まず、図３に示すように、アダプタリング１８の第２の雌ねじ１８０４にワイドコンバージョンレンズ３０の雄ねじ３００２を螺合してアダプタリング１８の前端にワイドコンバージョンレンズ３０を取着する。
次に、図４に示すように、デジタルスチルカメラ１０の前記電源スイッチをオフして鏡胴１４が収容位置Ｐ０に位置された状態で、アダプタリング１８の第１の雄ねじ１８０２をアダプタリング取付部１６の第１の雌ねじ１６０４に螺合する。これにより、ワイドコンバージョンレンズ３０およびアダプタリング１８はアダプタリング取付部１６に取着される。
この際、図４に示すように、第１の雄ねじ１８０２が第１の雌ねじ１６０４に螺合されることで、アダプタリング１８の後端部分１８０６が可動ピン２００２の前端に当接し可動ピン２００２が段部１６０６に没入された状態に維持される。
ここで、前記電源スイッチがオンされると、検出スイッチ２００４からは、アダプタリング１８が取着されていることを示す検出信号が鏡胴制御手段２２に供給される。これにより、鏡胴制御手段２２は、鏡胴駆動機構２４を制御して鏡胴１４の前端がアダプタリング１８の前端よりも後方に位置する範囲内に位置するように鏡胴１４を移動させる。本実施の形態では、鏡胴制御手段２２による鏡胴１４の突出量の制御は、撮影光学系１５のズーム率が最も広角となる鏡胴１４の突出量で行なわれ、これにより鏡胴１４が中間位置Ｐ２に移動され、その中間位置Ｐ２で鏡筒１４の位置が固定され、ズーム動作が禁止される。
すなわち、鏡胴制御手段２２による鏡胴１４の突出量の制御は、アダプタリング取付部１６にアダプタリング１８が取り付けられた状態で、鏡胴１４の前端がアダプタリング１８の前端よりも後方に位置する範囲内で行なわれる。したがって、鏡胴１４の前端がワイドコンバージョンレンズ３０のレンズ３００６に当たることがない。
これにより、撮影光学系１５のズーム率がワイドコンバージョンレンズ３０の光学系の作用によりさらに広角側に変換される。
ユーザーがファインダ窓１２１０あるいはディスプレイ１２０８を視認しつつ、シャッタスイッチ１２０４を押下することによって撮影がなされる。
なお、本実施の形態では、この状態でズーム操作スイッチ１２１１を操作しても、鏡胴制御手段２２がズーム動作を禁止しているので、鏡胴１４の位置は中間位置Ｐ２に固定されたままとなる。
【００１６】
このように構成された撮像装置１０によれば、鏡胴制御手段２２による鏡胴１４の突出量の制御がアダプタリング取付部１６にアダプタリング１８が取り付けられた状態で、鏡胴１４の前端がアダプタリング１８の前端よりも後方に位置する範囲内で行なわれるので、鏡胴１４の前端がアダプタリング１８の前端に取着されたワイドコンバージョンレンズ３０のレンズ３００６などの光学部材にぶつかることがない。
また、突出位置Ｐ１に位置した鏡胴１４の前端がワイドコンバージョンレンズ３０などの光学部材に当たらないようにする場合と違って、光学部材およびアダプタリング１８の光軸方向および径方向の寸法を大きくする必要が無い。
したがって、鏡胴１４が光学部材に当たることを確実に防止しつつ、これら光学部材およびアダプタリング１８の小型化、軽量化、低コスト化を図る上で有利となる。
また、このように光学部材およびアダプタリング１８が小型化されることにより、これら光学部材およびアダプタリング１８が取着された状態でデジタルスチルカメラ１０を運んだり、載置したりする際の取り扱いを容易にする上でも有利となる。
【００１７】
また、本実施の形態では、アダプタリング取付部１６の第１の雌ねじ１６０４およびアダプタリング１８の第１の雄ねじ１８０２が二条ねじで構成され、アダプタリング１８の第２の雌ねじ１８０４が一条ねじで構成されている。したがって、ワイドコンバータレンズ３０の雄ねじ３００２の外径と、アダプタリング取付部１６の第１の雌ねじ１６０４の内径が例え一致していたとしても、ワイドコンバータレンズ３０の雄ねじ３００２が一条ねじであり、第１の雌ねじ１６０４が二条ねじであるため、雄ねじ３００２を第１の雌ねじ１６０４に螺合することを確実に防止することができる。このため、ワイドコンバージョンレンズ３０を誤って直接アダプタリング取付部６に取着してしまい、鏡胴１４の前端がワイドコンバージョンレンズ３０のレンズ３００６にぶつかってしまうといった不都合を確実に防止する上で有利となる。
また、前記二条ねじのピッチを例えば０．４とし、前記一条ねじのピッチを例えば０．７５とし、二条ねじのピッチを一条ねじのピッチの２／３以下に設定すると、二条ねじのピッチが一条ねじのピッチと大きく異なるため、二条ねじに一条ねじを螺合することがより困難となり、雄ねじ３００２を第１の雌ねじ１６０４に螺合することを確実に防止する上でより有利となる。
また、アダプタリング１８の第２の雌ねじ１８０４のモジュールを例えばＭ４６とし、アダプタリング取付部１６の第１の雌ねじ１６０４のモジュールを例えばＭ４５．５とし、両者が異なる値となるように設定すれば、雄ねじ３００２を第１の雌ねじ１６０４に螺合することを確実に防止する上でより有利となる。
また、アダプタリング１８の第２の雌ねじ１８０４の外径を一般的なフィルターやコンバージョンレンズのねじの外径と一致した寸法に設定するとともに、アダプタリング取付部１６の第１の雌ねじ１６０４の外径を前記寸法とは異なる寸法に設定すれば、雄ねじ３００２を第１の雌ねじ１６０４に螺合することを確実に防止する上でより有利となる。
【００１８】
また、アダプタリング取付部１６にアダプタリング１８が取り付けられ、かつ、アダプタリング１８に光学部材を取り付けない状態で使用したとしても、鏡胴１４の前端がアダプタリング１８の前端よりも後方に位置しているので、アダプタリング１８によって鏡胴１８の前端が保護され、物などが鏡胴１４の前端にぶつかって鏡胴１４や鏡胴駆動機構２４が破損することを防止する上で有利となる。
なお、本実施の形態では、アダプタリング取付部１６にアダプタリング１８が取り付けられた状態で、鏡胴１４の位置が中間位置Ｐ２に固定され、ズーム動作を禁止したが、鏡胴制御手段２２による鏡胴１４の突出量の制御は、鏡胴１４の前端がアダプタリング１８の前端よりも後方に位置する範囲内で行なわれればよく、前記範囲内で鏡胴１４が移動されることによりズーム動作がなされてもかまわない。
【００１９】
次に、第２の実施の形態について説明する。
図６はアダプタリングとテレコンバージョンレンズの断面図である。
第２の実施の形態では、図６に示すように、コンバージョンレンズとしてのテレコンバージョンレンズ３２と、該テレコンバージョンレンズ３２用のアダプタリング１９とをデジタルスチルカメラ１０に取着している。
アダプタリング１９は、鏡胴１４の外径よりも大きな寸法の内径を有する円筒壁状に形成されている。
アダプタリング１９の後端には、アダプタリング取付部１６の第１の雌ねじ１６０４に螺合する第１の雄ねじ１９０２が形成され、第１の雄ねじ１９０２を第１の雌ねじ１６０４に螺合することでアダプタリング１９の後端がアダプタリング取付部１６に着脱可能に取着される。
アダプタリング１９は、その後端がアダプタリング取付部１６に取り付けられた状態で、アダプタリング１９の前端が鏡胴１６の突出位置Ｐ１よりも前方箇所に位置するように構成されている。
また、アダプタリング１９は、アダプタリング取付部１６に取着されても、アダプタリング１９の後端部分１９０６が可動ピン２００２に当接しないように形成されている。
したがって、アダプタリング取付部１６にアダプタリング１９が取着されても、検出スイッチ２００４はアダプタリングが取着されたことを示す検出信号を鏡胴制御手段２２に供給しない。
【００２０】
アダプタリング１９の前端には、第１の雄ねじ１９０２の外径よりも大きな内径の第２の雌ねじ１９０４が形成されている。この第２の雌ねじ１９０４は、テレコンバージョンレンズ３２の雄ねじ３２０２に螺合するように形成され、第２の雌ねじ１９０４と雄ねじ３２０２を螺合することでテレコンバージョンレンズ３２がアダプタリング１９の前端に着脱可能に取着される。本実施の形態では第２の雌ねじ１９０４によって光学部材取付部が構成されている。また、本実施の形態では、第１の雌ねじ１６０４および第１の雄ねじ１９０２は二条ねじで構成され、第２の雌ねじ１９０４は一条ねじで構成されている。
テレコンバージョンレンズ３２は、アダプタリング１９を介してアダプタリング取付部１６に取着されることで、撮影光学系１５の焦点距離を延長しズーム率（画角）を望遠側に変換する１つ以上のレンズ３２０６からなる光学系を有するものであり、図６において符号３２０４は飾りリングを示す。
【００２１】
次に、デジタルスチルカメラ１０にアダプタリング１９およびテレコンバージョンレンズ３２を取り付けて使用する場合について説明する。
まず、図６に示すように、アダプタリング１９の第２の雌ねじ１９０４にテレコンバージョンレンズ３２の雄ねじ３２０２を螺合してアダプタリング１９の前端にテレコンバージョンレンズ３２を取着する。
次に、デジタルスチルカメラ１０の前記電源スイッチをオフして鏡胴１４が収容位置Ｐ０に位置された状態で、アダプタリング１９の第１の雄ねじ１９０２をアダプタリング取付部１６の第１の雌ねじ１６０４に螺合する。これにより、テレコンバージョンレンズ３２およびアダプタリング１９はアダプタリング取付部１６に取着される。
この際、第１の雄ねじ１９０２が第１の雌ねじ１６０４に螺合されても、アダプタリング１９の後端部分１９０６が可動ピン２００２の前端に当接しない。
ここで、前記電源スイッチがオンされると、検出スイッチ２００４からは、アダプタリングが取着されていることを示す検出信号が鏡胴制御手段２２に供給されない。したがって、鏡胴制御手段２２は、デジタルスチルカメラ１０を単体で使用している場合と同様に、中間位置Ｐ２および突出位置Ｐ１の間で鏡胴１４を移動させるズーム動作を行なう。
この際、アダプタリング取付部１６にアダプタリング１９が取り付けられた状態で、鏡胴１４の前端が突出位置Ｐ１に移動しても、アダプタリング１９の前端が鏡胴１６の突出位置Ｐ１よりも前方箇所に位置しているので、鏡胴１４の前端がテレコンバージョンレンズ３２のレンズ３２０６に当たることがない。
これにより、撮影光学系１５のズーム率がテレコンバージョンレンズ３２の光学系の作用によりさらに望遠側に変換される。
ユーザーがファインダ窓１２１０あるいはディスプレイ１２０８を視認しつつ、シャッタスイッチ１２０４を押下することによって撮影がなされる。
【００２２】
このように構成された撮像装置１０によれば、アダプタリング取付部１６にアダプタリング１９が取り付けられた状態で、鏡胴１４の前端が突出位置Ｐ１に移動しても、アダプタリング１９の前端が鏡胴１６の突出位置Ｐ１よりも前方箇所に位置しているので、鏡胴１４の前端がテレコンバージョンレンズ３２のレンズ３２０６にぶつかることがない。
したがって、鏡胴１４がテレコンバージョンレンズ３２に当たることを確実に防止することができる。
また、本実施の形態においても、テレコンバータレンズ３２の雄ねじ３２０２、第１の雌ねじ１６０４の２つのねじをそれぞれ一条ねじ、二条ねじとすること、あるいは、前記２つのねじのピッチを異ならせること、あるいは、前記２つのねじのモジュールを異ならせること、あるいは、前記２つのねじの径を異ならせることによって第１の実施の形態と同様に、テレコンバージョンレンズ３２を誤って直接アダプタリング取付部６に取着してしまい、鏡胴１４の前端がテレコンバージョンレンズ３２のレンズ３２０６にぶつかってしまう不都合を確実に防止することができる。
【００２３】
なお、上述した実施の形態では、前記撮像光学系１５がズームレンズで構成されたものとして説明したが、本発明は撮影光学系１５は焦点距離や画角が単一であっても無論適用可能である。
また、上述した実施の形態では、検出手段２０の可動ピン２００２が押圧されたか否かに基づいてアダプタリング１８がアダプタリング取付部１６に取着されたか否かを検出し、この検出結果に応じて鏡胴制御手段２２が鏡筒１４の突出量を制御するように構成したが、次のような変形例としてもよい。
例えば、図７に示すように、アダプタリング取付部１６の段部１６０６に、第１、第２、第３の可動ピン２２０２Ａ、２２０２Ｂ、２２０２Ｃが設けられ、各可動ピン２２０２Ａ、２２０２Ｂ、２２０２Ｃが段部１６０６から突出する部分の長さが互いに異なっており、各可動ピンに別々の検出スイッチ（不図示）が接続されている。
アダプタリング１８は、第１、第２、第３のアダプタリングの３種類が用意されている。
第１のアダプタリング１８は、第１の雄ねじ１８０６が第１の雌ねじ１６０４に螺合した状態で、第１の可動ピン２２０２Ａのみを押圧する寸法で形成されている。
第２のアダプタリング１８は、第１の雄ねじ１８０６が第１の雌ねじ１６０４に螺合した状態で、第１、第２の可動ピン２２０２Ａ、２２０２Ｂの２つを押圧する寸法で形成されている。
第３のアダプタリング１８は、第１の雄ねじ１８０６が第１の雌ねじ１６０４に螺合した状態で、第１、第２、第３の可動ピン２２０２Ａ、２２０２Ｂ、２２０２Ｃの全てを押圧する寸法で形成されている。
このように構成すれば、鏡筒制御手段２２は、各検出スイッチから出力される検出信号の状態に基づいて第１、第２、第３のアダプタリングの何れがアダプタリング取付部１６に取着されたかを判別することができ、この判別結果に基づいて各アダプタリングに対応して鏡胴１４の突出量を制御することが可能となる。
したがって、第１、第２、第３のアダプタリングにそれぞれ異なる倍率のコンバージョンレンズを取り付け、これら各アダプタリングをアダプタリング取付部１６に取着した状態で、鏡胴１４の前端が、それぞれのコンバージョンレンズに当たらないように鏡筒制御手段２２によって鏡胴１４の突出量を制御できる。
なお、上述した実施の形態では、撮像装置をデジタルスチルカメラ１０として説明したが、本発明は、ビデオカメラなどの種々の撮像装置に無論適用可能である。
【００２４】
【発明の効果】
以上説明したように、本発明によれば、鏡胴がコンバージョンレンズなどの光学部材に当たることを確実に防止しつつ、光学部材やアダプタリングの小型化、軽量化、低コスト化を図る上で有利となる撮像装置を提供することができる。
【図面の簡単な説明】
【図１】第１の実施の形態のデジタルスチルカメラを斜め前方から見た斜視図である。
【図２】デジタルスチルカメラの側面図である。
【図３】デジタルスチルカメラ、アダプタリング、ワイドコンバージョンレンズの側面図である。
【図４】アダプタリングとワイドコンバージョンレンズの断面図である。
【図５】鏡胴の出没動作を制御する制御系の構成を示すブロック図である。
【図６】アダプタリングとテレコンバージョンレンズの断面図である。
【図７】検出手段の変形例を示す説明図である。
【符号の説明】
１０……デジタルスチルカメラ、１２……ケース、１４……鏡胴、１５……撮影光学系、１６……アダプタリング取付部、１８、１９……アダプタリング、２０……検出手段、２２……鏡筒制御手段、３０……ワイドコンバージョンレンズ、３２……テレコンバージョンレンズ。
【図１】
2004333778.tif 000003
【図２】
2004333778.tif 000004
【図３】
2004333778.tif 000005
【図４】
2004333778.tif 000006
【図５】
2004333778.tif 000007
【図６】
2004333778.tif 000008
【図７】
2004333778.tif 000009